(57)【要約】【課題】メンテナンスが必要な状況が発生した場合に、条件に従って自動的にメンテナンスを行う。【解決手段】記録媒体上に記録を行う記録部と記録をするデータを供給する記録データ供給部と原稿に記録されているデータを読取る読取部と情報を表示する表示部とを有する読取記録装置において、前記記録部の内部にはインクを吐出する印刷ヘッドを有し、前記記録部を用いて記録した記録媒体の使用量を記憶する記録媒体使用量記憶手段と前記記録部を用いて記録した記録方式を記憶する記録方式記憶手段と前記記録部を用いて記録した時間を記憶する記録時間記憶手段と前記印刷ヘッドを用いて記録したインクの吐出量を記憶するインク吐出量記憶手段と前記記録媒体使用量記憶手段と前記記録方式記憶手段と前記記録時間記憶手段と前記インク吐出量記憶手段の少なくとも一つの値を用いて、本装置のメンテナンスが必要かを判断する判断手段と前記判断手段の判断結果がメンテナンスが必要であると判断した場合は該当するメンテナンスを行うメンテナンス手段とを有する。【選択図】        図１０
2007050609.tif 000002
【特許請求の範囲】
【請求項１】
記録媒体上に記録を行う記録部と、
記録をするデータを供給する記録データ供給部と、
原稿に記録されているデータを読取る読取部と、
情報を表示する表示部と、
を有する読取記録装置において、
前記記録部の内部にはインクを吐出する印刷ヘッドを有し、
前記記録部を用いて記録した記録媒体の使用量を記憶する記録媒体使用量記憶手段と、
前記記録部を用いて記録した記録方式を記憶する記録方式記憶手段と、
前記記録部を用いて記録した時間を記憶する記録時間記憶手段と、
前記印刷ヘッドを用いて記録したインクの吐出量を記憶するインク吐出量記憶手段と、
前記記録媒体使用量記憶手段と前記記録方式記憶手段と前記記録時間記憶手段と前記インク吐出量記憶手段の少なくとも一つの値を用いて、本装置のメンテナンスが必要かを判断する判断手段と、
前記判断手段の判断結果がメンテナンスが必要であると判断した場合は該当するメンテナンスを行うメンテナンス手段と、
を有することを特徴とする読取記録装置。
【請求項２】
前記記録媒体使用量記憶手段と前記記録方式記憶手段と前記記録時間記憶手段は、記録媒体の種類ごとに記録された記録媒体の使用量と記録された記録方式と記録された記録時間を記憶する媒体別記憶手段を有することを特徴とする、請求項１記載の読取記録装置。
【請求項３】
前記インク吐出量記憶手段は、インクの各色ごとに吐出した吐出量を記憶することを特徴とする、請求項１記載の読取記録装置。
【請求項４】
前記メンテナンス手段は、本装置がメンテナンスが必要としている際には、メンテナンスを必要としている旨を前記表示部に表示させるメンテナンス表示手段を有することを特徴とする、請求項１記載の読取記録装置。
【請求項５】
前記メンテナンス表示手段を用いてメンテナンスを必要としている旨を表示した際に、前記操作部を用いて該当メンテナンスの実行を開始できることを特徴とする請求項４記載の読取記録装置。
【請求項６】
前記メンテナンス手段として、前記記録媒体を用いて、前記記録部または前記読取部の内部に付着したインクを拭き取る機構を有することを特徴とする請求項１または請求項４記載の読取記録装置。
【請求項７】
前記判断手段の一つとして、インクが交換されたかを検知して判断手段とすることを特徴とする、請求項１または請求項４記載の読取記録装置。
【発明の詳細な説明】
【技術分野】
【０００１】
本発明は所定のデータを記録媒体上に記録をする読取記録装置において、記録部または読取部の内部をメンテナンスする際の表示及び動作に関する技術である。
【背景技術】
【０００２】
従来、記録媒体上に記録を行う読取記録装置として、インクジェット方式のプリンタ装置や、ファクシミリ装置、複写機、スキャナとプリンタが一体型となった複合型プリンタ装置、などがある。これらの装置はネットワークや内部データや脱着式メモリやスキャナなどを介して取得したデータを用紙上に記録するもので、様々な記録方式を用いた装置が広く知られている。また、これらの装置は特許文献１に挙げられるように一定の条件を満たした時にメンテナンスが必要となるものが多くある。
【０００３】
特にインクジェット方式を用いたプリンタではインクを吐出するために記録部や読取部にインク塵が付着するために定期的なメンテナンス手段が必要となる。このようにインク塵やインク汚れが付着した場合、所定の用紙を記録部に給紙することによってインク拭き取りを実行する装置も多く存在する。
【特許文献１】特開２００２−６７４３９号公報
【発明の開示】
【発明が解決しようとする課題】
【０００４】
従来機において、ユーザが然るべきタイミングでインク拭き取りを実行することによってインク塵やインク汚れを拭き取ることが出来たのだが、ユーザにとってそのタイミングが何時なのかを知ることは困難であった。読取記録装置においては内部が何らかの要因によって汚れてしまう可能性があるにもかかわらずユーザは不具合が発生してからでないと対策をとることが出来なかった。
【０００５】
本発明は、以上の点に着目して成されたもので、メンテナンスが必要な状況が発生した場合に、条件に従って自動的にメンテナンスを行う読取記録装置を提供することを目的とする。
【課題を解決するための手段】
【０００６】
本発明はかかる課題を解決するために為されたものであり、
記録媒体上に記録を行う記録部と、
記録をするデータを供給する記録データ供給部と、
原稿に記録されているデータを読取る読取部と、
情報を表示する表示部と、
を有する読取記録装置において、
前記記録部の内部にはインクを吐出する印刷ヘッドを有し、
前記記録部を用いて記録した記録媒体の使用量を記憶する記録媒体使用量記憶手段と、
前記記録部を用いて記録した記録方式を記憶する記録方式記憶手段と、
前記記録部を用いて記録した時間を記憶する記録時間記憶手段と、
前記印刷ヘッドを用いて記録したインクの吐出量を記憶するインク吐出量記憶手段と、
前記記録媒体使用量記憶手段と前記記録方式記憶手段と前記記録時間記憶手段と前記インク吐出量記憶手段の少なくとも一つの値を用いて、本装置のメンテナンスが必要かを判断する判断手段と、
前記判断手段の判断結果がメンテナンスが必要であると判断した場合は該当するメンテナンスを行うメンテナンス手段と、
を有することを特徴とする読取記録装置であるため、
本装置においてメンテナンスが必要な状況が発生した場合に、前記判断手段に相当する条件を判断して自動的にメンテナンスを行うことが出来るため、常に装置の状態を良好に保つことが出来る。
【０００７】
また、
前記記録媒体使用量記憶手段と前記記録方式使用量記憶手段と前記記録時間記憶手段は、記録媒体の種類ごとに記録された記録媒体の使用量と記録された記録方式と記録された記録時間を記憶する媒体別記憶手段を有することを特徴とするために、
これらの状態を監視することによって本装置がメンテナンスが必要な状態にあるのかを判断することが出来る。
【０００８】
また、
前記インク吐出量記憶手段は、インクの各色ごとに吐出した吐出量を記憶することを特徴とするために、
インクの吐出量に応じて本装置がメンテナンスが必要な状態にあるのかを判断することが出来る。
【０００９】
また、
前記メンテナンス手段は、本装置がメンテナンスが必要としている際には、メンテナンスを必要としている旨を前記表示部に表示させるメンテナンス表示手段を有することを特徴とするため、
ユーザは可視的にメンテナンスが必要なことを認識することができるため、必要に応じて即座に必要なメンテナンスを実行することができ、また必ずしも必要でないメンテナンスは行わないことも可能にでき、また用紙などメンテナンスに必要な媒体を持ち合わせていないときには認識だけして実動作は後で行うこともできる。
【００１０】
また、
前記メンテナンス表示手段を用いてメンテナンスを必要としている旨を表示した際に、前記操作部を用いて該当メンテナンスの実行を開始できることを特徴とするため、
ユーザはメンテナンスが必要であることを認識するとともに即座に該当のメンテナンスを選択することができるので、メンテナンスの開始操作に関して迷うことがなく、最小の操作回数で実行することが出来る。
【００１１】
また、
前記メンテナンス手段として、前記記録媒体を用いて、前記記録部または前記読取部の内部に付着したインクを拭き取る機構を有することを特徴とするため、
インクジェット方式を用いた読取記録装置において課題であったインク塵やインク汚れを取り除くことができ、常に本装置を良好な状態に保つことが出来る。
【００１２】
また、
前記判断手段の一つとして、インクが交換されたかを検知して判断手段とすることを特徴とするため、
必ず一定量インクを吐出したらインク拭き取りを行うことができる。
【発明の効果】
【００１３】
本発明は、読取記録装置の内部のメンテナンスが必要かどうかを判断し、必要であればユーザに通知、または自動的にメンテナンスを行うことができるため、読取記録装置を良好な状態に保つことが出来る。
【発明を実施するための最良の形態】
【００１４】
以下に、図面を参照して、この発明の好適な実施の形態を例示的に詳しく説明する。ただし、この実施の形態に記載されている構成要素の相対配置、表示画面等は、特に特定的な記載がない限りは、この発明の範囲をそれらのみに限定する趣旨のものではない。
【実施例】
【００１５】
以下、本発明の一実施形態としての読取記録装置を説明する。図１は、実施形態の読取記録装置の構成例を示す構成図である。
【００１６】
図１において１００は装置全体を制御するための中央演算処理部（ＣＰＵ）であり、１０１はプログラムおよびデータを記憶するＲＯＭ、１０２は印刷情報として用紙サイズ印刷日時などのバックアップ用のデータを格納する不揮発性ＲＡＭ、１０３はＣＰＵワークスペースなどの一時記憶領域から成る記憶部（ＤＲＡＭ）である。１０５はグラフィックや文字列などをカラー表示する表示部、１０６はユーザが操作を行うボタンで構成される操作部、１０７は印刷を行うプリントヘッドなどから成る記録部、１０８は印刷用データを供給するメモリカードを挿入するためのメモリカードスロット、１０９は原稿を読み込むためのカラースキャナから成る読取部、１１０は原稿や用紙を給紙し搬送するための給紙部である。ここで各処理部はシステムバス１１０で接続される。
【００１７】
図２は、表示部１０５の構成図である。表示部１０５は、表示データを記憶するＶＲＡＭ２００と、ＶＲＡＭ２００の内容をドットマトリクスＬＣＤ２０２に出力させるためのＬＣＤドライバ２０１とを含む。
【００１８】
図３は、本装置の操作部１０６の外観構成図であり、ＬＣＤ２０２、機能設定などに用いる機能キー５０３、および設定入力キーであるセットキー５０５と、表示部のカーソル移動などに用いる左右上下方向キー５０６、を含む。
【００１９】
図４は本装置の記録部１０７の構成であり、印刷を行う際に用いるインクタンクとインク吐出部から構成されるプリントヘッド１７１と、印刷を行うために印刷データとプリントヘッド１７１の制御を行うプリントヘッド制御部１７２からなる。プリントヘッド１７１は高速に移動しながら用紙にインクを吐出することで画像を形成する。そのため、インク塵が周囲に散ることがある。また、プリントヘッド１７１はインクタンクを交換されたことを検知する機能を所有する。
【００２０】
図５は本装置のＲＯＭ１０１の構成であり、用紙について、どの用紙のサイズをどれだけ印刷するとインク拭き取りが必要になるかの枚数を用紙のサイズ別に記憶した用紙サイズ境界値記憶エリア１５１と、どの用紙の種類をどれだけ印刷するとインク拭き取りが必要になるかの枚数を用紙の種類別に記憶した用紙種類別境界値記憶エリア１５２と、フチ有りフチ無しそれぞれの場合にどれだけ印刷するとインク拭き取りが必要になるのかを記憶したフチ別境界値記憶エリア１５３と、あるサイズの用紙を印刷した後にどれだけ時間が経過するとインク拭き取りが必要になるのか、またはある種類の用紙を印刷した後にどれだけ時間が経過するとインク拭き取りが必要になるのか、またはフチ有りフチ無しによってどれだけ時間が経過するとインク拭き取りが必要になるのか、という時間の境界である時間境界値記憶エリア１５４と、印刷を行った際に吐出したインク量を記憶したインク吐出量境界値記憶エリアと、を含む。
【００２１】
図６は本装置の不揮発性ＲＡＭ１０２の構成であり、用紙を１枚印刷した際に記憶される印刷情報記憶エリア１６１とインクを吐出するたびに吐出量が記憶されるインク吐出量記憶エリア１６６と、を含む。印刷情報記憶エリア１６１は更に、印刷した際に使用した用紙のサイズを記憶する用紙サイズ記憶エリア１６２と、印刷した際に使用した用紙の種類を記憶する用紙種類記憶エリア１６３と、印刷した際にフチ有りで印刷したかフチ無しで印刷したかを記憶するフチ情報記憶エリア１６５と、を含む。
【００２２】
図７は本装置の断面図を示したものであり、給紙部１１０、記録部１０７、読取部１０９の構成図となっている。給紙部１１０は給紙パス１８１と給紙ローラ１  １８２と給紙ローラ２  １８３と、を含む。
【００２３】
印刷を実行する際の手順は、最初にユーザが給紙パス１８１の入り口に用紙をセットし、次に給紙ローラ１  １８２が用紙を給紙し、次に給紙ローラ２  １８３が用紙を搬送しながら記録部１０７が用紙上に画像を形成し、最後に用紙が排出される。
【００２４】
読み取りを含む印刷を実行する際の手順は、最初にユーザが給紙パス１８１の入り口に読み込む原稿をセットし、次に給紙ローラ１  １８２が原稿を給紙し、次に読取部１０９が原稿を読み取り、次に給紙ローラ２  １８３が原稿を搬送して原稿を排出し、次にユーザが給紙パス１８１に用紙をセットし、次に給紙ローラ１  １８２が用紙を給紙し、次に給紙ローラ２  １８３が用紙を搬送しながら記録部１０７が用紙上に画像を形成し、最後に用紙が排出される。
【００２５】
インク拭き取りを実行する際の手順は、最初にユーザが所定の箇所に折り目をつけた拭き取り用紙１８４を給紙パス１８１にセットし、次に給紙ローラ１１８２が拭き取り用紙１８４を給紙し、折り目が拭き取り対象箇所に達したら給紙ローラ１  １８２および給紙ローラ２  １８３を用いて拭き取り用紙１８４を順方向と逆方向に送ることを繰り返すことによって折り目にインクの汚れを付着させることで、拭き取り対象箇所の汚れを拭き取り、拭き取り用紙を排出させる。
【００２６】
次に図９のフローを用いて、印刷を行う際にインク拭き取りが必要か判断して、必要である場合にはインク拭き取りを行って、その後印刷を行う手順を説明する。
【００２７】
本フローはＳ９０１から始まりＳ９０２に進む。Ｓ９０２では印刷を行う前に本装置がインク拭き取りが必要かを判断してＳ９０３に進む。Ｓ９０２においてインク拭き取りが必要であると判断された場合はＳ９０４に進みインク拭き取り処理を実行してからＳ９０５に進み、インク拭き取りが必要でないと判断された場合はＳ９０５に進む。
【００２８】
Ｓ９０５では、ユーザがこれから印刷する用紙種類を操作部１０５を用いて設定し、Ｓ９０６に進む。Ｓ９０６ではＳ９０５にて設定された用紙種類を用紙種類記憶エリア１６３に記憶して、Ｓ９０７に進む。Ｓ９０７では、ユーザがこれから印刷する印刷がフチ有りかフチ無しかを操作部１０５を用いて設定し、Ｓ９０８に進む。Ｓ９０８ではＳ９０７において設定されたフチ情報をフチ情報記憶エリア１６４に記憶して、Ｓ９０９に進む。Ｓ９０９では印刷が行われる日時である現在日時を印刷日時記憶エリア１６５に記憶して、Ｓ９１１に進む。
【００２９】
Ｓ９１１では、給紙部１１０を用いて用紙の給紙を開始して、Ｓ９１２に進む。Ｓ９１２では読取１０９部が給紙している最中に用紙のサイズを読取りＳ９１３に進む。Ｓ９１３ではＳ９１２で読取った用紙サイズを用紙サイズ記憶エリア１６２に記憶してＳ９１４に進む。Ｓ９１４では記録部１０７を用いて用紙に画像を印刷して用紙を排出して、Ｓ９１５に進む。Ｓ９１５では、印刷に使用したインク吐出量をインク吐出量記憶エリアに記憶して、Ｓ９１６に進み本フローを終了する。
【００３０】
図９に示すフローではインク拭き取りが必要か判断するタイミングは印刷を実行する前であったが、その他のタイミングでも同様に実現できる。例えば印刷が終わった際に判断をしたり、印刷が終わって本装置が待機状態にあるときに然るべきタイミングで判断したり、本装置の電源が投入された際に判断したり、というように本発明は装置に依存するタイミングを選ばない。
【００３１】
次に図１０を用いてＳ９０２のインク拭き取り判断の詳細の一例を示す。
【００３２】
本フローはＳ１００１から始まりＳ１００２に進む。Ｓ１００２では、前回の印刷が終了した後から現在までに、プリントヘッド１７１に取り付けられているインクタンクが交換されたかを検知して、交換されていた場合はＳ１００３に進み、交換されていなかった場合はＳ１００４に進む。Ｓ１００３では本装置はインク拭き取りが必要であると判断してＳ１００５に進み、本フローを終了する。Ｓ１００４では本装置はインク拭き取りが不要であると判断してＳ１００５に進み、本フローを終了する。
【００３３】
図１０に示すフローを実行することで、インクを１本分吐出したら確実にインク拭き取りを行うことができるのでユーザは大切な原稿や新品の用紙を汚すことは無い。
【図面の簡単な説明】
【００３４】
【図１】実施形態の表示装置の構成例を示す図である。
【図２】図１に示す表示部１０５の詳細例を表した図である。
【図３】図１に示す操作部１０６の詳細例を示した図である。
【図４】図１に示す記録部１０７の詳細例を示した図である。
【図５】図１に示すＲＯＭ１０１の詳細例を示した図である。
【図６】図１に示す不揮発性ＲＡＭ１０２の詳細例を示した図である。
【図７】図１に示す給紙部１１０および記録部１０７および読取り部１０９の構成を示した図である。
【図８】本表示装置におけるメンテナンスの際の表示部１０５の一例を示した図である。
【図９】本表示装置における印刷時の処理を示した図である。
【図１０】本表示装置におけるインク拭き取りが必要かどうかを判断するフローの一例である。
【符号の説明】
【００３５】
１００  ＣＰＵ
１０１  ＲＯＭ
１０２  不揮発性ＲＡＭ
１０３  データ記憶部ＤＲＡＭ
１０５  表示部
１０６  操作部
１０７  記憶部
１０８  メモリカードスロット
１０９  読取り部
１１０  給紙部
１１１  システムバス
【図１】
2007050609.tif 000003
【図２】
2007050609.tif 000004
【図３】
2007050609.tif 000005
【図４】
2007050609.tif 000006
【図５】
2007050609.tif 000007
【図６】
2007050609.tif 000008
【図７】
2007050609.tif 000009
【図８】
2007050609.tif 000010
【図９】
2007050609.tif 000011
【図１０】
2007050609.tif 000012